(57)【要約】      （修正有）【課題】便座の裏面、便器外面上部等に飛散して付着している尿等の汚物類が、便座を上げ下げする時や便座使用時に、手指及び衣類に触れて付着することがなく、又、衣類が便座と便器の間に入り込んだり、引掛かったりすることのない便座を提供する。【解決手段】便座１の周りに、便座１と一体又は脱着可能に、汚物類が手指及び衣類に触れて付着しない様にする遮蔽用のスカートを付ける。【選択図】図１
2014171855.tif 000002
【特許請求の範囲】
【請求項１】
便座の裏面、便器外面上部等に飛散して付着している尿等の汚物類が、手指や衣類に触れて付着しない様、遮蔽する機能を持っているスカート付便座。
【請求項２】
トイレ（便座）使用時に、衣類が便座や便器に触れる、又は衣類が便座と便器の隙間に入り込んだり、引掛らない様に遮蔽する機能を持っているスカート付便座。
【請求項３】
トイレ（便座）使用時に、便座と便器の隙間から外側へ飛散する尿等の微小粒子状汚物類の飛沫が、足部や衣類に付着しない様に、遮蔽する機能を持っているスカート付便座。
【請求項４】
上記、請求項１、２、３に示しているスカート付便座のスカートは、便座と一体になっているものである。
【請求項５】
スカート付便座の構造になっていない従来の便座に対しては、スカート部が脱着可能（含む、分割出来るもの）で、便座への取付が嵌込み方式（又は、差込み、貼付け及びネジ止め方式等）に依るものであり、機能上は、上記、請求項１、２、３に示すスカート付便座と同等である。
【請求項６】
上記、請求項１、２、３、４、５に示しているスカート部（外側）には、便座上げ下げ時に指を入れる「へこみ部」が有る。
【発明の詳細な説明】
【技術分野】
【０００１】便座の裏面、便器外面上部等に飛散して付着している尿等の汚物類が、便座上げ下げ時や便座使用時に、手指及び衣類に触れて付着しない様、遮蔽する機能を持っているスカート（便座と一体型又は脱着可能型）付きの便座で、衣類が便座と便器の間に入り込んだり引掛かったりする事も防止する。
【背景技術】
【０００２】従来の板状の便座（片方ヒンジ型）を上げ下げする時は、便座裏面に直接手指を当て、上げ下げしている。又、便座使用時には、衣類が直接便座の裏面や便器に触れたり、便座と便器の間に引掛かったりする。
【発明が解決しようとする課題】
【０００３】これは、次の様な欠点があった。
▲１▼便座を上げ下げする時は、便座を手で持って支えた状態で行うが、この場合には便座の裏面に手指が触れる事となる。便座の裏面には、尿等飛散した汚物が付着しており、この不衛生的で雑菌も居る汚物に手指が触れる事は、衛生上大変不合理である。
▲２▼又、衣類を下げて使用する場合には、便座の前側になる衣類は便座裏面や便器に触れたり、更には便座と便器の間に入り込む事や引掛かる様な状態にもなり、衣類にも汚物が付着するので、衛生面からも精神的にも悪いものである。
▲３▼尚、便座使用時は、便座と便器の隙間からも理論的には、微小粒子状飛散汚物が外側に出ている事になり、足部や衣類に付着するので、これらに関しても衛生上好ましくない。
この発明は、以上の欠点を解決する為になされたものである。
【解決手段】
【０００４】便座の裏面、便器外面上部等に飛散して付着している尿等の汚物類が、手指及び衣類に触れて付着しない様、遮蔽する機能を持っているスカート（便座と一体型又は脱着可能型）付きの便座にする。
【発明の効果】
【０００５】便座を上げ下げする時、スカートの外部にある「へこみ部」に指を入れて、手指が直接汚物等に触れずに操作出来る為、衛生的レベルは数段も高度な進展となる。
又、便座を下げて使用する場合にも、遮蔽用のスカートが付いているので、便座の前側になる衣類が便座や便器に触れたり、便座と便器の間に入り込む事や引掛かる様な状態にならないので、衣類にも汚物が付着しない。
更に、便座と便器の隙間から外側へ飛散する微小粒子状汚物が足部や衣類に付着するのを防止する事も出来る。
【実施する為の最良の形態】
【０００６】汚物付着防止用スカート付便座：＃１には、便座の周りに遮蔽用のスカートが付いており、前方部は側面部に比べて機能面を考慮した形状で、寸法的には長くなっているので、衣類が遮られて便座の裏面及び便器：＃２には触れない事になる。
便座使用時には、スカートに対して、衣類が強く当たる場合もあるので、剛性面を充分に補う形状であり、必要に応じて補強材等も最適な寸法のものが組み込まれている。
（便器全体カバー：＃３）
又、前方左右の側面上部には、手指を入れる「へこみ部」が有り、此処に指を入れて便座を上げ下げ出来るので、汚物には全く手指を触れずに操作できる事になる。
更には、使用時に便座と便器の隙間から飛散する微小粒子状汚物の衣類への付着も遮られる。
スカート部は、構造的には、便座の一部となるので、便座と一体物であるが、スカート部だけを別の材料で造り、組合せて取付けられている（通常取外す事が無い）場合は、一体型の部類に入れるものとする。
スカート部の材料としては、便座と同一の物、又はナイロン系、プラスチック系等の合成樹脂系になるが、特殊加工された植物系等の場合も有り、肌触り面をも考慮されたものとなっている。
スカート付でない従来の便座に取付ける脱着可能型スカート：＃１１〜＃１６に関しても、機能面、及び構成形体は一体型と同じであるが、便座及び便器の形状に依り、構造面及び取付けの都合上等から、▲１▼全体をカバーするタイプ、▲２▼前部のみ分割するタイプ、▲３▼後部のみ分割するタイプ▲４▼その他の部位で分割するタイプ、又▲５▼前方部のみを取付けるタイプ、▲６▼その他になるが、強度面、材料面等に関しては、一体型と基本的には同様である。
そして、便座を部分的にカバーする様なタイプ等で、直接身体に触れる面等には、柔軟性や寸法的な厚みを最適なものとして、不快感を与えない様に充分配慮されたものとなっている。
【図面の簡単な説明】
【図１】本発明の斜視図を示す。
【図２】平面図を示す。
【図３】正面図を示す。
【図４】側面図を示す。
【図５】全体カバーを上げた側面図を示す。
【図６】全体カバー及びスカート付便座を上げた側面図を示す。
【図７】断面Ａ−Ａの断面図を示す。
【図８】断面Ｂ−Ｂの断面図を示す。
【図９】脱着可能型スカート（例１）の斜視図を示す。
【図１０】脱着可能型スカート（例２）の斜視図を示す。
【図１１】脱着可能型スカート（例３）の斜視図を示す。
【図１２】脱着可能型スカート（例４）の斜視図を示す。
【符号の説明】  １  スカート付便座
２  便器
３  便器全体カバー
１１        脱着可能型スカート（例１）
１２、１３  脱着可能型スカート（例２）
１４、１５  脱着可能型スカート（例３）
１６        脱着可能型スカート（例４）
【図１】
2014171855.tif 000003
【図２】
2014171855.tif 000004
【図３】
2014171855.tif 000005
【図４】
2014171855.tif 000006
【図５】
2014171855.tif 000007
【図６】
2014171855.tif 000008
【図７】
2014171855.tif 000009
【図８】
2014171855.tif 000010
【図９】
2014171855.tif 000011
【図１０】
2014171855.tif 000012
【図１１】
2014171855.tif 000013
【図１２】
2014171855.tif 000014